(57)【要約】【課題】日々の暮らしにおける主体的な省エネルギー行動を住人に定着させる学習ツールとして機能する行動情報提供プログラム及び行動情報提供装置を提供する。【解決手段】携帯型情報処理装置１６は、サーバ２０から予想最高気温を取得し、その予想最高気温と予め設定された快適温度とを所定の時間に比較する。この比較の結果に応じて、住宅外の自然環境を利用して前記住宅内で使用するエネルギーを低減するための行動を住人に促す行動情報を複数記憶する記憶部を参照し、行動情報を住人に提供する。【選択図】図１
2012122667.tif 000002
【特許請求の範囲】
【請求項１】
情報処理装置に、
外部から第１の天候関連情報を取得する機能と、
前記取得した第１の天候関連情報と予め設定された第２の天候関連情報とを所定の時間に比較する機能と、
住宅外の自然環境を利用することにより前記住宅内で使用するエネルギーを低減するための行動を住人に促す行動情報を複数記憶する記憶手段を参照し、当該比較の結果に応じて、第１の行動情報を住人に提供する機能と、
を実現させるための行動情報提供プログラム。
【請求項２】
前記第１の天候関連情報は予想最高気温情報であり、前記予め設定された第２の天候関連情報は住宅内で前記住人が快適に過ごすことができる快適温度情報であり、前記所定の時間は早朝のいずれかの時間である、請求項１記載の行動情報提供プログラム。
【請求項３】
前記情報処理装置に、
前記住宅内の温度情報を取得する機能と、
前記取得した予想最高気温情報と前記取得した前記住宅内の温度情報とを所定の時間に比較する機能と、
当該比較の結果に応じて、住宅外の自然環境を利用することにより前記住宅内で使用するエネルギーを低減するための行動を住人に促す第２の行動情報を前記住人に提供する機能と、
を実現させる請求項２記載の行動情報プログラム。
【請求項４】
前記情報処理装置に、
前記住宅南側外の温度情報を取得する機能と、
前記取得した住宅南側外の温度情報と前記取得した住宅内の温度情報とを所定の時間に比較する機能と、
当該比較の結果に応じて、住宅外の自然環境を利用することにより前記住宅内で使用するエネルギーを低減するための行動を住人に促す第３の行動情報を前記住人に提供する機能と、
を実現させる請求項３記載の行動情報プログラム。
【請求項５】
前記情報処理装置に、
前記住宅北側外の温度情報を取得する機能と、
前記取得した住宅北側外の温度情報と前記取得した住宅内の温度情報とを所定の時間に比較する機能と、
当該比較の結果に応じて、住宅外の自然環境を利用することにより前記住宅内で使用するエネルギーを低減するための行動を住人に促す第４の行動情報を前記住人に提供する機能と、
を実現させる請求項４記載の行動情報プログラム。
【請求項６】
前記第１の天候関連情報は予測快適係数情報であり、前記予め設定された第２の天候関連情報は住宅内で住人が快適に過ごすことができる快適係数情報であり、前記所定の時間は早朝のいずれかの時間である、請求項１記載の行動情報提供プログラム。
【請求項７】
外部から第１の天候関連情報を取得する取得手段と、
前記取得した第１の天候関連情報と予め設定された第２の天候関連情報とを所定の時間に比較する比較手段と、
住宅外の自然環境を利用し、前記住宅内で使用するエネルギーを低減するための行動を住人に促す行動情報を複数記憶する記憶手段を参照し、前記比較手段の比較の結果に応じて、行動情報を前記住人に提供する提供手段と、
を備える、行動情報提供装置。
【発明の詳細な説明】
【技術分野】
【０００１】
本発明は、省エネルギーを実現しつつ快適な住環境を実現するために必要な情報を住人に提供する行動情報提供プログラム及び行動情報提供装置に関する。
【背景技術】
【０００２】
一般に、住宅等においては、住人は快適な温度で過ごすために空気調和機を使用する。
【０００３】
しかしながら、空気調和機を長時間運転した場合、エネルギーの使用量も使用した時間に応じて多くなる。また、空気調和機に設定される温度によっては、必要以上に多くのエネルギーを使用することになる。
【０００４】
近年、環境等への影響を考慮して省エネルギーの必要性について多くの人の認識が高まっている。このため、空気調和機によって使用されるエネルギーを低減することを目的として種々の技術が開発されている。
【０００５】
例えば、以下の特許文献１には、定期的に測定される室内の温度測定値と、推奨値と、これら温度測定値と推奨値との差分から特定される警告データとを取得し、温度測定値と、推奨値と、警告データとから表示データ、例えば「少し冷やしすぎです。エアコンの設定値を上げてください。」を生成し、この表示データを省エネモニタに表示する技術が開示されている。このように表示データを省エネモニタに表示することにより、省エネに対する住人の意識を高め、省エネに繋がる行動を住人に実行させるための支援を行っている。
【先行技術文献】
【特許文献】
【０００６】
【特許文献１】特開２００９−９２２６７号公報
【発明の概要】
【発明が解決しようとする課題】
【０００７】
特許文献１に記載の技術は、室内の温度が適切になるように空気調和機の設定温度の調節を住人に促すものであり、一定の省エネルギーを実現することは可能である。
【０００８】
しかしながら、環境等への影響を考慮すると、更なる省エネルギーを実現することが望まれる。例えば住宅内の温度を空気調和機を動作させずに調節することができれば、日々の暮らしに必要になるエネルギーを更に低減することができる。
【０００９】
本発明は、上記事情に鑑みてなされたものであり、その目的は、日々の暮らしにおける主体的な省エネルギー行動を住人に定着させる学習ツールとして機能する行動情報提供プログラム及び行動情報提供装置を提供することにある。
【課題を解決するための手段】
【００１０】
本発明は、情報処理装置に、外部から第１の天候関連情報を取得する機能と、取得した第１の天候関連情報と予め設定された第２の天候関連情報とを所定の時間に比較する機能と、住宅外の自然環境を利用することにより住宅内で使用するエネルギーを低減するための行動を住人に促す行動情報を複数記憶する記憶手段を参照し、当該比較の結果に応じて、第１の行動情報を住人に提供する機能と、を実現させる行動情報提供プログラムである。
【００１１】
上記行動情報提供プログラムにおいては、第１の天候関連情報は予想最高気温情報であり、予め設定された第２の天候関連情報は住宅内で住人が快適に過ごすことができる快適温度情報であり、所定の時間は早朝のいずれかの時間とすることが望ましい。
【００１２】
更に、上記行動情報提供プログラムにおいては、上記情報処理装置に、住宅内の温度情報を取得する機能と、取得した予想最高気温情報と取得した住宅内の温度とを所定の時間に比較する機能と、当該比較の結果に応じて、住宅外の自然環境を利用することにより住宅内で使用するエネルギーを低減するための行動を住人に促す第２の行動情報を住人に提供する機能と、を実現させるようにしても良い。
【００１３】
更に、上記行動情報提供プログラムにおいては、上記情報処理装置に、住宅南側外の温度情報を取得する機能と、取得した住宅南側外の温度情報と取得した住宅内の温度情報とを所定の時間に比較する機能と、当該比較の結果に応じて、住宅外の自然環境を利用することにより住宅内で使用するエネルギーを低減するための行動を住人に促す第３の行動情報を住人に提供する機能と、を実現させるようにしても良い。
【００１４】
更に、上記行動情報提供プログラムにおいては、上記情報処理装置に、住宅北側外の温度情報を取得する機能と、取得した住宅北側外の温度情報と取得した住宅内の温度情報とを所定の時間に比較する機能と、当該比較の結果に応じて、住宅外の自然環境を利用することにより住宅内で使用するエネルギーを低減するための行動を住人に促す第４の行動情報を住人に提供する機能と、を実現させるようにしても良い。
【００１５】
また、上記行動情報提供プログラムにおいては、第１の天候関連情報は予測快適係数情報であり、予め設定された第２の天候関連情報は住宅内で住人が快適に過ごすことができる快適係数情報であり、所定の時間は早朝のいずれかの時間とすることが望ましい。
【００１６】
上述の行動情報提供プログラムは、住宅の外環境の整備及び適切な環境部材の導入、並びに住人の窓の開閉等の住人の工夫によって快適な室内環境を実現した複数の実測データに基づいて構成されることが望ましい。これにより、本発明を特定の住宅だけでなく一般の住宅にも適用することが可能になる。
【００１７】
また、他の本発明は、外部から第１の天候関連情報を取得する取得手段と、取得した第１の天候関連情報と予め設定された第２の天候関連情報とを所定の時間に比較する比較手段と、住宅外の自然環境を利用することにより住宅内で使用するエネルギーを低減するための行動を住人に促す行動情報を複数記憶する記憶手段を参照し、比較手段の比較の結果に応じて、行動情報を住人に提供する提供手段と、を備える行動情報提供装置である。
【発明の効果】
【００１８】
本発明によると、日々の暮らしにおける主体的な省エネルギー行動を住人に定着させる学習ツールとして機能する行動情報提供プログラム及び行動情報提供装置を提供できる。
【図面の簡単な説明】
【００１９】
【図１】本発明の第１の実施の形態に係る情報処理システムの構成を示す図である。
【図２】同実施の形態に係る情報処理装置の構成を示す図である。
【図３】同実施の形態に係る行動情報の表示例を示す図である。
【図４】同実施の形態に係る行動情報提供処理の第１の部分を示すフローチャートである。
【図５】同実施の形態に係る行動情報提供処理の第２の部分を示すフローチャートである。
【図６】同実施の形態に係る行動情報提供処理の第３の部分を示すフローチャートである。
【図７】本発明の第２の実施の形態に係る情報処理システムの構成を示す図である。
【図８】同実施の形態に係る情報処理装置の構成を示す図である。
【図９】同実施の形態に係る行動情報提供処理の第１の部分を示すフローチャートである。
【図１０】同実施の形態に係る行動情報提供処理の第２の部分を示すフローチャートである。
【図１１】同実施の形態に係る行動情報提供処理の第３の部分を示すフローチャートである。
【発明を実施するための形態】
【００２０】
以下、本発明の各実施形態について図面を参照しながら説明する。
【００２１】
（第１の実施形態）
図１は、本発明を適用した情報処理システム１の構成を示す図である。情報処理システム１は、住宅１０に設置されるものであり、季節的には、夏期に使用される。しかしながら、情報処理システム１は、夏期だけではなく、春期、夏期、秋期の３期を通じて使用するようにしても良い。
【００２２】
同図に示すように、情報処理システム１は、サーバ１１、ネットワークハブ１２、温度センサ親機１３、温度センサ子機１３ａ乃至１３ｃ、無線ルータ１４、無線通信装置１５及び行動情報提供装置である携帯型情報処理装置１６を有して構成される。
【００２３】
また、情報処理システム１において、サーバ１１と温度センサ親機１３、及びサーバ１１と無線ルータ１４は、それぞれネットワークハブ１２を介して通信可能に接続されている。無線ルータ１４には、無線通信装置１５が接続されている。更に、携帯型情報処理装置１６と無線ルータ１４、及び温度センサ親機１３と温度センサ子機１３ａ乃至１３ｃは、それぞれ無線通信が可能になっている。なお、携帯型情報処理装置１６は、無線ルータ１４、無線通信装置１５を介して外部のサーバ２０と無線通信可能となるように構成されている。
【００２４】
サーバ１１は、ネットワークハブ１２を介したデータ通信を制御する。例えば、サーバ１１は、温度センサ親機１３から温度センサ子機１３ａ乃至１３ｃが測定した温度を取得し、携帯型情報処理装置１６からの要求に応じて、温度センサ子機１３ａ乃至１３ｃが測定した温度を、ネットワークハブ１２及び無線ルータ１４を介して携帯型情報処理装置１６に送信する。
【００２５】
ネットワークハブ１２は、サーバ１１と温度センサ親機１３、及びサーバ１１と無線ルータ１４との間のデータ通信を制御する。
【００２６】
温度センサ親機１３は、サーバ１１の制御の下、所定のタイミングで温度センサ子機１３ａ乃至１３ｃから測定温度を無線通信によって取得し、その取得した温度をサーバ１１へ送信する。
【００２７】
温度センサ子機１３ａは、住宅１０内の所定の室内に配置され、その室内の温度を測定する。所定の室内は、例えば、リビングであり、住人が日中過ごす時間が最も長い場所にすることが望ましい。温度センサ子機１３ａで測定された室内の温度（室温）は、無線通信により温度センサ親機１３に送信される。
【００２８】
温度センサ子機１３ｂは、住宅１０の南側外に配置され、住宅１０の南側外の温度を測定する。温度センサ子機１３ｂで測定した南側外の温度は、無線通信により温度センサ親機１３に送信される。
【００２９】
温度センサ子機１３ｃは、住宅１０の北側外に配置され、住宅１０の北側外の温度を測定する。温度センサ子機１３ｃで測定した北側外の温度は、無線通信により温度センサ親機１３に送信される。
【００３０】
無線ルータ１４は、携帯型情報処理装置１６と無線通信を行う。例えば、携帯型情報処理装置１６から送信される温度センサ子機１３ａ乃至１３ｃの測定温度の取得要求を、ネットワークハブ１２を介してサーバ１１へ送信し、サーバ１１からネットワークハブ１２を介して送信される温度センサ子機１３ａ乃至１３ｃの測定温度を、携帯型情報処理装置１６へ送信する。
【００３１】
無線通信装置１５は、サーバ２０との無線通信を行う。無線通信装置１５は、携帯型情報処理装置１６の指示により、サーバ２０から今日の予想最高気温、翌日の予測最低気温、及び快適係数（後述する第２の実施形態で説明する。）等の天候関連情報を取得し、この取得した天候関連情報を無線ルータ１４を介して携帯型情報処理装置１６へ送信する。
【００３２】
携帯型情報処理装置１６は、住人が携帯可能な携帯型の情報処理装置である。携帯型情報処理装置１６は、例えば、ｉＰｈｏｎｅ（登録商標）等のスマートフォンであるが、これに限らず、無線通信機能と、住人に情報を提供できる機能を有している情報処理装置であればよい。なお、情報処理装置は、携帯型でなくても本発明の適用は可能である。
【００３３】
次に、携帯型情報処理装置１６のハードウェア構成について図を参照して説明する。図２に示すように、携帯型情報処理装置１６は、ＣＰＵ３０、メモリ３１、記憶部３２、無線通信部３３、表示部３４、入力部３５及び時計部３６を有している。また、ＣＰＵ３０、メモリ３１、記憶部３２、無線通信部３３、表示部３４、入力部３５及び時計部３６は、バスライン３７を介して接続されている。
【００３４】
ＣＰＵ３０は、記憶部３２からデータ，プログラムを読み出す制御、メモリ３１へプログラムを展開する制御、無線通信部３３による無線通信制御、表示部３４への情報表示制御、入力部３５からの入力の受付け制御等を行う。
【００３５】
メモリ３１は、ＣＰＵ３０が行動情報提示プログラムを実行する際のワークエリア等として用いられる。
【００３６】
記憶部３２は、行動情報提供プログラムを記憶する行動情報提供プログラム記憶部３２ａ、快適温度を記憶する快適温度記憶部３２ｂ及び複数の行動情報を記憶する行動情報記憶部３２ｃを有している。
【００３７】
行動情報提供プログラム記憶部３２ａに記憶される行動情報提供プログラムは、住宅外の自然環境を利用することにより該住宅内で使用するエネルギーを低減させる行動を住人に促すための行動情報を提供するためのプログラムである。この行動情報提供プログラムは、住宅の外環境の整備及び適切な環境部材の導入、並びに住人の窓の開閉等の住人の工夫によって快適な室内環境を実現した複数の実測データに基づいて構成されることが望ましい。このように構成された行動情報提供プログラムは、特定の住宅だけでなく一般の住宅にも適用することが可能になる。なお、この行動情報提供プログラムは、サーバ２０からダウンロードして行動情報提供プログラム記憶部３２ａに記憶されるようにしても良いし、携帯型情報処理装置１６に予め記憶されていても良い。
【００３８】
行動情報提供プログラムは、例えば、携帯型情報処理装置１６に、サーバ２０から予想最高気温を取得する機能と、この取得した予想最高気温と予め設定された快適温度とを時刻８時００分に比較する機能と、住宅１０の外の自然環境を利用することにより住宅１０内で使用するエネルギーを低減するための行動を住人に促す行動情報を複数記憶する行動情報記憶部３２ｃを参照し、既述の比較の結果に応じて、第１の行動情報として「今日は、一日涼しい日なのですべての窓を開けて過ごしましょう。」を住人に提供する機能と、を実現させる。なお、行動情報提供プログラムの詳細は、図４乃至図６を参照して後述する。
【００３９】
快適温度は、本実施の形態においては２６℃である。この２６℃は、一般に人が快適と感じる気温であり、室内が２６℃であれば住人が室内で快適に過ごすことができる。なお、本実施の形態では、快適温度は２６℃の場合で説明するが、人によって快適と感じる気温は異なる場合もある。このため、快適温度は、入力部３５を操作して住人が設定変更できるように構成することが望ましい。
【００４０】
行動情報は、住宅１０外の自然環境（住宅１０の南側外及び北側外の大気）を利用し、住宅１０内で使用するエネルギー（例えば、空気調和機に用いられるエネルギー）を低減するための行動を住人に促す情報である。
【００４１】
例えば、行動情報は、「今日は一日涼しい日なので、すべての窓を開けて過ごしましょう。」、「これから外は暑くなりそうです。全ての窓を閉めて冷気を逃さないようにしましょう。」、「北側、西側の窓を開けたままにし、東側と南側の窓を閉めましょう。」、「東側、南側、西側の窓を閉めましょう。」、「外が涼しくなってきました。全ての窓を開けて冷気を取り込みましょう。」、「明日の朝は涼しくなるので全ての窓を開けておきましょう。」及び「今日は熱帯夜です。全ての窓を閉めたまま、冷気を保ちましょう。」、「北側の窓は開けておいてＯＫです。」、「北側を閉め、全ての窓を閉めた状態にしましょう。」等である。このように複数の行動情報が行動情報記憶部３２ｃに記憶される。
【００４２】
無線通信部３３は、無線通信により外部へ所定の要求を送信するとともに、外部から情報を受信する。例えば、無線通信部３３は、所定のタイミングで無線ルータ１４、ネットワークハブ１２を介してサーバ１１へ温度センサ子機１３ａ乃至１３ｃのいずれかが測定した温度の取得要求を送信し、その応答として既述の温度センサ子機１３ａ乃至１３ｃのいずれかが測定した温度を受信する。また、無線通信部３３は、所定のタイミングで無線ルータ１４、無線通信装置１５を介してサーバ２０へ既述の天候関連情報の取得要求を送信し、その応答として天候関連情報を受信する。
【００４３】
表示部３４は、例えば、液晶ディスプレイを有しており、ＣＰＵ３０の制御の下、液晶ディスプレイに行動情報を表示する。これにより、住人に行動情報が提供される。
【００４４】
入力部３５は、住人の指示を受け付け、当該指示をＣＰＵ３０に送信する。入力部３５は、例えば、タッチパネルである。
【００４５】
時計部３６は、時刻を計時する。
【００４６】
次に、携帯型情報処理装置１６における行動情報の提供例について図３を参照して説明する。
【００４７】
図３に示すように、携帯型情報処理装置１６は、タッチパネル式の液晶ディスプレイ４１を有しており、液晶ディスプレイ４１上に日付、時刻、今日の予想最高気温、快適温度に加え、行動情報「今日は一日涼しい日なので、すべての窓を開けて過ごしましょう。」４２が表示されている。
【００４８】
このように行動情報を所定のタイミングで表示部３４に表示することにより、住宅外の自然環境を利用して該住宅内で使用するエネルギーを低減させるためにどのような行動をとればよいかを住人に認識させることが可能になる。
【００４９】
次に、携帯型情報処理装置１６のＣＰＵ３０が実行する行動情報提供処理について図４乃至図６を参照して説明する。本実施の形態においては、行動情報を表示部３４に表示することにより、住人へ行動情報を提供する場合について説明する。
【００５０】
先ず、ＣＰＵ３０は、時計部３６で計時される時刻を利用して、時刻が、早朝のいずれかの時間であるか、例えば、８時００分になったか否かを判定する（Ｓ１０１）。ＣＰＵ３０は、時刻が８時００分になっていない場合（Ｓ１０１：ＮＯ）、８時００分になるまではこの判定を繰り返す。
【００５１】
一方、８時００分になったと判定した場合（Ｓ１０１：ＹＥＳ）、ＣＰＵ３０は、無線ルータ１４、無線通信装置１５を介してサーバ２０から、第１の天候関連情報である今日の予想最高気温を取得し、その予想最高気温が、第２の天候関連情報である快適温度記憶部３２ｂに記憶されている快適温度（２６℃）以下であるか否かを判定する（Ｓ１０２）。
【００５２】
今日の予想最高気温が２６℃以下であると判定した場合（Ｓ１０２：ＹＥＳ）、ＣＰＵ３０は、行動情報記憶部３２ｃに記憶されている複数の行動情報から、行動情報「今日は、一日涼しい日なので、全ての窓を開けて過ごしましょう。」（第１の行動情報）を選択し、当該行動情報を表示部３４に表示する（Ｓ１０３）。そして、ＣＰＵ３０は、本日の行動情報提供処理を終了する。
【００５３】
一方、今日の予想最高気温が２６℃以下でないと判定した場合（Ｓ１０２：ＮＯ）、ＣＰＵ３０は、無線ルータ１４、ネットワークハブ１２を介してサーバ１１から、温度センサ子機１３ａが測定した温度（室温）を取得し、今日の予想最高気温が室温より低いか否かを判定する（Ｓ１０４）。
【００５４】
今日の予想最高気温が室温より低いと判定した場合（Ｓ１０４：ＹＥＳ）、ＣＰＵ３０は、行動情報記憶部３２ｃに記憶されている複数の行動情報から、行動情報「今日は、一日涼しい日なので、全ての窓を開けて過ごしましょう。」（第２の行動情報）を選択し、当該行動情報を表示部３４に表示する（Ｓ１０３）。つまり、ＣＰＵ３０は、既述のステップＳ１０２でＹＥＳと判定した場合と同じ処理を行う。
【００５５】
一方、今日の予想最高気温が室温より低くないと判定した場合（Ｓ１０４：ＮＯ）、ＣＰＵ３０は、無線ルータ１４、ネットワークハブ１２を介してサーバ１１から、温度センサ子機１３ｂが測定した温度（住宅１０の南側外の温度）を取得し、南側外の温度が既述の室温より高いか否かを判定する（Ｓ１０５）。
【００５６】
住宅１０の南側外の温度が室温より高いと判定した場合（Ｓ１０５：ＹＥＳ）、ＣＰＵ３０は、行動情報記憶部３２ｃに記憶されている複数の行動情報から、行動情報「これらか外は暑くなりそうです。全ての窓を閉めて冷気を逃さないようにしましょう。」（第３の行動情報）を選択し、当該行動情報を表示部３４に表示する（Ｓ１０６）。
【００５７】
このように行動情報を表示部３４に表示した場合、ＣＰＵ３０は、時計部３６で計時される時刻を利用して、１４時００分になったか否かを判定する（Ｓ１０７）。１４時００分になっていないと判定した場合（Ｓ１０７：ＮＯ）、ＣＰＵ１３は、１４時００分になるまでこの判定を繰り返す。
【００５８】
１４時００分になったと判定した場合、ＣＰＵ３０は、無線ルータ１４、ネットワークハブ１２を介してサーバ１１から、温度センサ子機１３ｂが測定した温度（住宅１０の南側外の温度）を取得するとともに、温度センサ子機１３ａが測定した温度（室温）を取得し、南側外の温度が室温より低いか否かを判定する（Ｓ１０８）。
【００５９】
住宅１０の南側外の温度が室温より低くないと判定した場合（Ｓ１０８：ＮＯ）、ＣＰＵ３０は、時計部３６で計時される時刻を利用して、時刻が２２時００分になっているか否かを判定する（Ｓ１０９）。
【００６０】
時刻が２２時００分になっていないと判定した場合（Ｓ１０９：ＮＯ）、ＣＰＵ３０は、既述のステップＳ１０８の住宅１０の南側外の温度が室温より低いか否かを判定する処理を繰り返す。つまり、ＣＰＵ１３は、時刻が２２時００分になるまで、南側外の温度が室温より低いか否かを判定する処理を繰り返す。
【００６１】
一方、住宅１０の南側外の温度が室温より低いと判定した場合（Ｓ１０８：ＹＥＳ）、ＣＰＵ３０は、行動情報記憶部３２ｃに記憶されている複数の行動情報から、行動情報「外が涼しくなってきました。全ての窓を開けて冷気を取り込みましょう。」（第３の行動情報）を選択し、当該行動情報を表示部３４に表示する（Ｓ１１０）。
【００６２】
このように行動情報を表示した場合、ＣＰＵ３０は、時計部３６で計時される時刻を利用して、時刻が２２時００分になっているか否かを判定する（Ｓ１１１）。時刻が２２時００分になっていなと判定した場合（Ｓ１１１：ＮＯ）、ＣＰＵ３０は、時刻が２２時００分になるまでこの判定を繰り返す。
【００６３】
既述のステップＳ１０９において時刻が２２時００分になったと判定した場合（Ｓ１０９：ＹＥＳ）、又はステップＳ１１１において時刻が２２時００分になったと判定した場合（Ｓ１１１：ＹＥＳ）、ＣＰＵ３０は、無線ルータ１４、無線通信装置１５を介してサーバ２０から翌日の予測最低気温を取得するとともに、無線ルータ１４、ネットワークハブ１２を介してサーバ１１から温度センサ子機１３ａが測定した温度（室温）を取得し、室温から翌日の予測最低気温を減算した温度差が２℃以上であるか否かを判定する（Ｓ１１２）。
【００６４】
温度差が２℃以上である判定した場合（Ｓ１１２：ＹＥＳ）、ＣＰＵ３０は、行動情報記憶部３２ｃに記憶されている複数の行動情報から、行動情報「明日の朝は涼しくなるので、全ての窓を開けておきましょう。」を選択し、当該行動情報を表示部３４に表示する（Ｓ１１３）。
【００６５】
一方、温度差が２℃以上でないと判定した場合（Ｓ１１２：ＮＯ）、ＣＰＵ３０は、行動情報記憶部３２ｃに記憶されている複数の行動情報から、行動情報「今日は、熱帯夜です。全ての窓を閉めたまま、冷気を保存しましょう。」を選択し、当該行動情報を表示部３４に表示する（Ｓ１１４）。
【００６６】
このようにステップＳ１１３又はＳ１１4において、行動情報を表示部３４に表示した場合、ＣＰＵ３０は、本日の行動情報提供処理を終了する。
【００６７】
一方、既述のステップＳ１０５において住宅１０南側外の温度が室温より高くないと判定した場合（Ｓ１０５：ＮＯ）、ＣＰＵ３０は、行動情報記憶部３２ｃに記憶されている複数の行動情報から、行動情報「北側、西側の窓は開けたままにし、東側、南側の窓を閉めましょう。」（第３の行動情報）を選択し、当該行動情報を表示部３４に表示する（Ｓ１１５）。
【００６８】
ステップＳ１１５の行動情報の表示処理が終了した場合、ＣＰＵ３０は、時計部３６で計時される時刻を利用して、時刻が９時００分になったか否かを判定する（Ｓ１１６）。９時００分になっていないと判定した場合（Ｓ１１６：ＮＯ）、ＣＰＵ３０は、時刻が９時００分になるまでこの判定を繰り返す。
【００６９】
一方、時刻が９時００分になったと判定した場合（Ｓ１１６：ＹＥＳ）、ＣＰＵ３０は行動情報記憶部３２ｃに記憶されている複数の行動情報から、行動情報「東側、南側、西側の窓を閉めましょう。」を選択し、当該行動情報を表示部３４に表示する（Ｓ１１７）。
【００７０】
次に、ＣＰＵ３０は、時計部３６で計時される時刻を利用して、時刻が１０時００分になったか否かを判定する（Ｓ１１８）。時刻が１０時００分になっていないと判定した場合（Ｓ１１８：ＮＯ）、ＣＰＵ３０は、時刻が１０時００分になるまでこの判定を繰り返す。
【００７１】
一方、時刻が１０時００分になったと判定した場合（Ｓ１１８：ＹＥＳ）、ＣＰＵ３０は、無線ルータ１４、ネットワークハブ１２を介してサーバ１１から温度センサ子機１３ｃが測定した温度（住宅１０の北側外の温度）を取得するとともに温度センサ子機１３ａが測定した温度（室温）を取得し、住宅１０の北側外の温度が室温より高いか否かを判定する（Ｓ１１９）。
【００７２】
住宅１０の北側外の温度が室温より高いと判定した場合（Ｓ１１９：ＹＥＳ）、ＣＰＵ３０は、行動情報記憶部３２ｃに記憶されている複数の行動情報から、行動情報「北側を閉め、全ての窓を閉めた状態にしましょう。」（第４の行動情報）を選択し、当該行動情報を表示部３４に表示する（Ｓ１２０）。
【００７３】
一方、住宅１０の北側外の温度が室温より高くないと判定した場合（Ｓ１１９：ＮＯ）、ＣＰＵ３０は、行動情報記憶部３２ｃに記憶されている複数の行動情報から、行動情報「北側の窓は開けておいてＯＫです。」（第４の行動情報）を選択し、当該行動情報を表示部３４に表示する（Ｓ１２１）。
【００７４】
このように行動情報を表示部３４に表示した場合、ＣＰＵ３０は、無線ルータ１４、ネットワークハブ１２を介してサーバ１１から温度センサ子機１３ｃが測定した温度（住宅１０の北側外の温度）を取得するとともに、温度センサ子機１３ａが測定した温度（室温）を取得し、住宅１０北側外の温度が室温より高いか否かを判定する（Ｓ１２２）。
【００７５】
住宅１０北側外の温度が室温より高くないと判定した場合（Ｓ１２２：ＮＯ）、ＣＰＵ３０は、時計部３６で計時される時刻を利用して、時刻が１７時００分になったか否かを判定する（Ｓ１２３）。
【００７６】
時刻が１７時００分になっていないと判定した場合（Ｓ１２３：ＮＯ）、ＣＰＵ３０は、ステップＳ１２２の住宅１０の北側外の温度が室温より高いか否かを判定する。つまり、ＣＰＵ３０は、時刻が１７時００分になるまで、住宅１０の北側外の温度が室温より高くなっているか否かを判定する処理を繰り返す。
【００７７】
時刻が１７時００分になるまでの間に、住宅１０の北側外の温度が室温より高くなっていると判定した場合（Ｓ１２２：ＹＥＳ）、ＣＰＵ３０は、行動情報記憶部３２ｃに記憶されている複数の行動情報から、行動情報「北側の窓は開けておいてＯＫです。」（第４の行動情報）を選択し、当該行動情報を表示部３４に表示する。つまり、ＣＰＵ３０は、既述のステップＳ１１９でＹＥＳと判定した場合と同じ処理を行う。
【００７８】
ステップＳ１２０において行動情報を表示した場合、又はステップＳ１２３において時刻が１７時００分になったと判定した場合（Ｓ１２３：ＹＥＳ）、ＣＰＵ３０は、ステップＳ１０８からＳ１１４の処理を実行し、本日の行動情報提供処理を終了する。なお、ステップＳ１０８からＳ１１４の処理の詳細は既述しているため、ここでは省略する。
【００７９】
このように構成された携帯型情報処理装置１６によると、予め設定された時間（８時００分）に、今日の予想最高気温と快適温度、予想最高気温と室温とを比較して、予想最高気温が低い場合は、それぞれ、「今日は、一日涼しい日なので全ての窓を開けましょう。」という行動情報を表示部３４に表示することができる。これにより、住人は住宅１０の全ての窓を開放することにより、空気調和機を動作させなくても快適な住環境を実現することができる。
【００８０】
また、携帯型情報処理装置１６によると、予め設定された時間（８時００分）に住宅１０の南側外の温度と室温とを比較して、住宅１０の南側外の温度が室温より高い場合、行動情報「これから外は暑くなりそうです。すべての窓を閉めて冷気を逃さないようにしましょう。」を表示部３４に表示することができる。これにより、住人は、朝窓を開ける行動を留まることができ、住宅１０内の冷気を逃さないようにすることができる。よって、住人は、その後暑くなったとしても冷気が保持されているため、空気調和機の冷房動作を最小限に留めて快適な住環境を実現することができる。
【００８１】
更に、予め設定された時間内（１４時００分から２２時００分又は１７時００分から２２時００分）に住宅１０の南側外の温度が室温より低くなった場合、行動情報「外が涼しくなってきました。すべての窓を開けて冷気を取り込みましょう。」を表示部３４に表示することができる。これにより、住人は、閉めている窓を開けることができ、住宅１０の南側外の冷気を取り込むようにすることができる。よって、住人は、空気調和機を動作させなくても快適な住環境を実現することができる。
【００８２】
また更に、携帯型情報処理装置１６によると、８時００分に住宅１０の南側外の温度が室温より高くなかった場合、１０時００分から１７時００分という定められた時間の間、住宅１０の北側外の温度と室温の温度差を利用して、行動情報「北側の窓は開けておいてＯＫです。」、「北側を閉め、全ての窓を開けた状態にしましょう。」を表示部３４に表示することができる。これにより、住人は住宅１０の北側外の大気を利用して、住宅１０内で利用する空気調和機の冷房動作を最小限に留めることができる。
【００８３】
また更に、携帯型情報処理装置１６によると、予め設定された時間（２２時００分）に、室温から翌日の予測最低気温を減算した温度差が２℃以上である場合、行動情報「明日の朝は涼しくなるので全ての窓を開けておきましょう。」を表示し、２℃より低い場合、行動情報「今日は熱帯夜です。すべての窓を閉めたまま冷気を保存しましょう。」を表示部３４に表示することができる。これにより、住人は、夜窓をすべて開ける、又は、閉める、という行動をとることができ、就寝中の空気調和機の動作を最小限に留め、快適な住環境を実現することができる。
【００８４】
したがって、本実施の形態の携帯型情報処理装置１６によると、今日の予測最高気温、翌日の予測最低気温、温度センサ１３ａ乃至１３ｃで測定した温度のうちの２つの温度を予め設定した時間に比較し、その結果に基づいて、行動情報を表示部３４に表示することができる。住人は当該表示に基づく行動をとることにより、住宅１０外の自然環境（住宅１０の南側外及び北側外の大気）を利用して、住宅１０内の空気を環流させ温度を調節することで、空気調和機に使用するエネルギーを低減することができる。よって、携帯型情報処理装置１６は、日々の暮らしにおける主体的な省エネルギー行動を住人に定着させる学習ツールとして機能する。
【００８５】
（第２実施形態）
次に、第２の実施形態について説明する。この第２の実施形態は、サーバ２０から予想最高気温を取得するのではなく、快適指数（不快指数とも称呼される。）を取得するように変更した点が既述の第１の実施形態と異なっている。したがって、以下では、快適指数に基づいて、予め定められた時刻に各種判定を行い、行動情報を表示部３４に表示する処理について説明する。なお、第１の実施形態と同一の構成には同一の符号を付して詳細な説明は省略する。
【００８６】
なお、快適係数は、温度（乾球温度）と湿度とに基づいて次の（１）式で算出される係数である。
０．８１Ｔｄ＋０．０１Ｈ（０．９９Ｔｄ−１４．３）＋４６．３    ・・・（１）
ここで、Ｔｄ（℃）：乾球温度，Ｈ（％）：湿度である。
【００８７】
図７は、第２の実施形態における情報処理システム１の構成を示す図である。図１を参照して説明した情報処理システム１と比較すると、温度センサ親機１３及び温度センサ子機１３ａ乃至１３ｃが温湿度センサ親機１７及び温湿度センサ子機１７ａ乃至１７ｃに変更されている点が異なっている。
【００８８】
同図に示すように、温湿度センサ親機１７は、温湿度センサ子機１７ａ乃至１７ｃが測定した温度及び湿度を取得し、ネットワークハブ１２を介してサーバ１１へ送信するように構成されている。
【００８９】
また、図８は、第２の実施形態における携帯型情報処理装置１６の構成を示す図である。図２を参照して説明した携帯型情報処理装置１６と比較すると、快適温度記憶部３２ｂが快適係数記憶部３２ｄに変更されている点が異なっている。なお、快適係数記憶部３２ｄには、快適係数として、「７０」が記憶される。快適係数「７０」は、人が快適に過ごすことができる状態を示す係数である。
【００９０】
また、携帯型情報処理装置１６は、無線ルータ１４、無線通信装置１５を介してサーバ２０から、本日の予測最低快適係数、及び翌日の予測最低気温を天候関連情報として所定のタイミングで取得するように構成されている。
【００９１】
図９乃至図１１は、この第２の実施の形態における行動情報提供処理を示すフローチャートである。図９乃至図１１におけるステップＳ２０１，Ｓ２０３，Ｓ２０６，Ｓ２０７，Ｓ２０９乃至Ｓ２１８，Ｓ２２０，Ｓ２２1及びＳ２２３の処理は、図４乃至図６におけるステップＳＳ１０１，Ｓ１０３，Ｓ１０６，Ｓ１０７，Ｓ１０９乃至Ｓ１１８，Ｓ１２０，Ｓ１２1及びＳ１２３の処理とそれぞれ同様であるため詳細な説明を省略し、以下では、ステップＳ２０２，Ｓ２０４，Ｓ２０５，Ｓ２０８，Ｓ２１９，Ｓ２２２の処理について詳細に説明する。
【００９２】
ステップＳ２０２においては、ＣＰＵ３０は、無線ルータ１４、無線通信装置１５を介してサーバ２０から第１の天候関連情報である今日の予想最低快適係数を取得し、その予想最低快適係数が快適係数記憶部３２ｄに記憶されている第２の天候関連情報である快適係数（７０）以下であるか否かを判定する。このステップＳ２０２において「ＹＥＳ」と判定した場合、処理はステップＳ２０３へ進み、「ＮＯ」と判定した場合、処理はステップＳ２０４へ進む。
【００９３】
ステップＳ２０４においては、ＣＰＵ３０は、無線ルータ１４、ネットワークハブ１２を介してサーバ１１から、温湿度センサ子機１７ａが測定した温度及び湿度（室内の温度及び湿度）を取得するとともに、これら温度及び湿度から既述の（１）式を用いて室内の快適係数を算出し、ステップＳ２０２で取得した今日の予想最低快適係数が室内の快適係数より低いか否かを判定する。このステップＳ２０４において「ＹＥＳ」と判定した場合、処理はステップＳ２０３へ進み、「ＮＯ」と判定した場合、処理はステップＳ２０５へ進む。
【００９４】
ステップＳ２０５においては、ＣＰＵ３０は、無線ルータ１４、ネットワークハブ１２を介してサーバ１１から、温湿度センサ子機１７ｂが測定した温度及び湿度（住宅１０の南側外の温度及び湿度）を取得し、これら温度及び湿度から既述の（１）式用いて、住宅１０の南側外の快適係数を算出し、南側外の快適係数がステップＳ２０４で算出した室内の快適係数より高いか否かを判定する。このステップＳ２０５において「ＹＥＳ」と判定した場合、処理はステップＳ２０６へ進み、「ＮＯ」と判定した場合、処理はステップＳ２１５へ進む。
【００９５】
ステップＳ２０８においては、ＣＰＵ３０は、無線ルータ１４、ネットワークハブ１２を介してサーバ１１から、温湿度センサ子機１７ｂが測定した温度及び湿度（住宅１０の南側外の温度及び湿度）を取得するとともに、温湿度センサ子機１７ａが測定した温度及び湿度（室内の温度及び湿度）を取得し、それぞれ既述の（１）式を用いて住宅１０の南側外の快適係数及び室内の快適係数を算出し、南側外の快適係数が室内の快適係数より低いか否かを判定する。このステップＳ２０８において「ＹＥＳ」と判定した場合、処理はステップＳ２１０へ進み、「ＮＯ」と判定した場合、処理はステップＳ２０９へ進む。
【００９６】
ステップＳ２１９においては、ＣＰＵ３０は、無線ルータ１４、ネットワークハブ１２を介してサーバ１１から温湿度センサ子機１７ｃが測定した温度及び湿度（住宅１０の北側外の温度及び湿度）を取得するとともに温湿度センサ子機１７ａが測定した温度及び湿度（室内の温度及び湿度）を取得し、それぞれ既述の（１）式を用いて住宅１０の北側外の快適係数及び室内の快適係数を算出し、北側外の快適係数が室内の快適係数より高いか否かを判定する（Ｓ２１９）。このステップＳ２１９において「ＹＥＳ」と判定した場合、処理はステップＳ２２０へ進み、「ＮＯ」と判定した場合、処理はステップＳ２２１へ進む。
【００９７】
ステップＳ２２２においては、ＣＰＵ３０は、無線ルータ１４、ネットワークハブ１２を介してサーバ１１から温湿度センサ子機１７ｃが測定した温度及び湿度（住宅１０の北側外の温度及び湿度）を取得するとともに、温湿度センサ子機１７ａが測定した温度及び湿度（室内の温度及び湿度）を取得し、それぞれ既述の（１）式を用いて住宅１０の北側外の快適係数及び室内の快適係数を算出し、北側外の快適係数が室内の快適係数より高いか否かを判定する（Ｓ２２２）。このステップＳ２２２において「ＹＥＳ」と判定した場合、処理はステップＳ２２０へ進み、「ＮＯ」と判定した場合、処理はステップＳ２２３へ進む。
【００９８】
この第２の実施形態の携帯型情報処理装置１６は、予め設定された時間に快適係数を用いて行動情報提供処理を行うことができる。このように快適係数に基づいて所定の時間に行動情報を選択し、選択した行動情報を住人に提供することができる。
【００９９】
したがって、この第２の実施形態の携帯型情報処理装置１６によると、今日の予測最低快適係数、及び温湿度センサ１７ａ乃至１７ｃで測定した温度及び湿度から算出される快適係数のうちの２つの快適指数を予め設定した時間に比較し、その結果に基づいて、行動情報を表示部３４に表示することができる。住人は当該表示に基づく行動をとることにより、住宅１０外の自然環境（住宅１０の南側外及び北側外の大気）を利用して、住宅１０内の空気を環流させ温度を調節することで、空気調和機に使用するエネルギーを低減することができる。
【０１００】
（第３の実施形態）
次に、第３の実施形態について説明する。この第３の実施形態は、温度センサ子機１３ａ乃至１３ｃを、周囲からの熱輻射に基づいて気温を測定するグローブ温度計に変更した点が既述の第１の実施形態と異なっている。したがって、以下では、上記グローブ温度計に変更した点について詳細に説明する。なお、第１の実施形態と同一の構成には同一の符号を付して詳細な説明は省略する。
【０１０１】
温度センサ子機１３ａ乃至１３ｃは、既述のようにグローブ温度計であり、例えば、薄い銅製、かつ、表面に黒体塗装が施され、熱輻射に基づく温度を測定するように構成されている。このため、温度センサ子機１３ｂ，１３ｃは、気流の乱れに強く、例えば、強風時に住人に行動情報を提供する場合において、第１の実施形態より適切に温度を測定することが可能になる。
【０１０２】
（第１乃至第３の実施形態の変形例）
上記各実施形態では、所定の時間に温度差又は快適係数差の判定を行う場合で説明しているが、この所定の時間を住人の指示又は行動情報提供プログラムを提供する側の指示で変更できるように構成しても良い。このように構成することで、例えば、春期、夏期、秋期等のシーズン毎に、或いは月毎に温度差又は快適係数差の判定を行う時間を変更することが可能になる。これにより、携帯型情報処理装置１６は、シーズン毎の温度変化や快適係数変化に適応することが可能になる。
【０１０３】
また、上記各実施形態では、行動情報を住人に提供する処理は、表示部３４に行動情報を表示する場合で説明したが、これに限るものではない。例えば、携帯型情報処理装置１６に音声出力部を設け、行動情報の表示に代えて行動情報を音声で住人に提供するようにしても良いし、行動情報の表示と音声とを同時に住人に提供するようにしても良い。
【０１０４】
更に、上記各実施形態において、天候関連情報として、「晴」、「曇」、「雨」の天候情報を取得するようにしても良い。天候が、「曇」及び「雨」の場合には、日射の影響が非常に少ないため、行動情報を表示部３４に表示する際、開ける窓、閉める窓の方向を示す部分を表示しないようにしても良い。この場合、例えば、行動情報「北側の窓を開けておいてＯＫです。」は、行動情報「窓を開けておいてＯＫです。」と変更して表示部３４に表示される。これにより、日射の影響が少ない場合に、開ける窓、閉める窓の方向を提供することによる住人の違和感を無くすことができる。
【産業上の利用可能性】
【０１０５】
本発明は、日々の暮らしにおける主体的な省エネルギー行動を住人に定着させる学習ツールとして機能するプログラム及びそのプログラムを保存した情報提供装置等に広く適用可能である。
【符号の説明】
【０１０６】
１・・・情報処理システム，１０・・・住宅，１１・・・サーバ，１２・・・ネットワークハブ，１３・・・温度センサ親機，１３ａ乃至１３ｂ・・・温度センサ子機，１４・・・無線ルータ，１５・・・無線通信装置，１６・・・携帯型情報処理装置，１７・・・温湿度センサ親機，１７ａ乃至１７ｃ・・・温湿度センサ子機，３０・・・ＣＰＵ，３１・・・メモリ，３２・・・記憶部，３２ａ・・・行動情報提供プログラム記憶部，３２ｂ・・・快適温度記憶部，３２ｃ・・・行動情報記憶部，３２ｄ・・・快適係数記憶部，３３・・・無線通信部，３４・・・表示部，３５・・・入力部，３６・・・時計部，４１・・・液晶ディスプレイ
【図１】
2012122667.tif 000003
【図２】
2012122667.tif 000004
【図３】
2012122667.tif 000005
【図４】
2012122667.tif 000006
【図５】
2012122667.tif 000007
【図６】
2012122667.tif 000008
【図７】
2012122667.tif 000009
【図８】
2012122667.tif 000010
【図９】
2012122667.tif 000011
【図１０】
2012122667.tif 000012
【図１１】
2012122667.tif 000013